(57)【要約】      （修正有）【課題】ベースプレートの板厚を増加させることなくガイド長手方向に沿った所定曲率の摺接曲面による安定したチェーン軌道を保持するとともに、伝動チェーンから過度の押圧荷重を受けてもベースプレートのガイド長手方向の屈曲変形やエンジン取付用ボルトの取り付け位置に生じがちな折損を防止して優れた耐久性を発揮するエンジン用固定ガイドを提供すること。【解決手段】ベースプレート１２０のガイド長手方向に沿った補強用細溝部１２２が、ベースプレート１２０のプレート裏面に面押し加工具による圧縮応力を作用させて塑性変形させる面押し加工により形成されているとともにベースプレート１２０に設けたエンジン取付用ボルトの取り付け位置を超えてガイド長手方向のそれぞれのベース端部位に向けて延在しているエンジン用固定ガイド１００。【選択図】図２
2012241739.tif 000002
【特許請求の範囲】
【請求項１】
伝動チェーンをガイド長手方向に沿って摺接走行させる摺接曲面を形成したシューと、該シューの裏面をガイド長手方向に沿って支持する金属製のベースプレートとを備えたエンジン用固定ガイドにおいて、
前記ベースプレートのガイド長手方向に沿った補強用細溝部が、前記ベースプレートのプレート表面またはプレート裏面に面押し加工具による圧縮応力を作用させて塑性変形させる面押し加工により形成されているとともに前記ベースプレートに設けたエンジン取付用ボルトの取り付け位置を超えてガイド長手方向のそれぞれのベース端部位に向けて延在していることを特徴とするエンジン用固定ガイド。
【請求項２】
前記補強用細溝部が、前記ベースプレートのプレート裏面においてガイド長手方向の中央部位からガイド長手方向のベース端部位に向けて徐々に深く形成されていることを特徴とする請求項１に記載のエンジン用固定ガイド。
【請求項３】
前記補強用細溝部が、前記ベースプレートのプレート裏面においてガイド長手方向のベース端部位からガイド長手方向の中央部位に向けて徐々に深く形成されていることを特徴とする請求項１に記載のエンジン用固定ガイド。
【請求項４】
前記補強用細溝部の溝端が、舳先状に形成されていることを特徴とする請求項１乃至請求項３のいずれか１項に記載のエンジン用固定ガイド。
【請求項５】
前記補強用細溝部が、前記伝動チェーンを構成するリンクプレートの摺動走行位置に合致したベースプレートの対向位置に設けられていることを特徴とする請求項１乃至請求項４のいずれか１項に記載のエンジン用固定ガイド。
【請求項６】
前記補強用細溝部が、前記ベースプレートの内部に向けて矩形状に凹んだ断面形状を有していることを特徴とする請求項１乃至請求項５のいずれか１項に記載のエンジン用固定ガイド。
【請求項７】
前記補強用細溝部が、前記ベースプレートのガイド長手方向に沿って並列状態で複数配置されていることを特徴とする請求項１乃至請求項６のいずれか１項に記載のエンジン用固定ガイド。
【発明の詳細な説明】
【技術分野】
【０００１】
本発明は、自動車エンジン用タイミングシステムにおいて伝動チェーンを摺接走行させるためのエンジン用固定ガイドに関するものである。
【背景技術】
【０００２】
従来、自動車エンジン用タイミングシステムにおいて伝動チェーンからタイミングチェーンを摺接走行させるための固定ガイドとして、エンジン内の駆動側スプロケットと従動側スプロケットとの間を周回走行するタイミングチェーンに摺接させて所定のチェーン軌道に沿って走行案内するものが知られている。
【０００３】
そして、このような固定ガイドは、伝動チェーンをガイド長手方向に沿って摺接走行させる摺接曲面を形成したシューとこのシューの裏面をガイド長手方向に沿って支持するベースプレートとを備え、これらのシューとベースプレートとがガイド長手方向に沿って所定の曲率を確保した状態で維持して伝動チェーンを案内走行させるようになっている（例えば、特許文献１参照）。
【特許文献１】特開平１０−２９２８５５号公報（第１頁、図１）
【発明の開示】
【発明が解決しようとする課題】
【０００４】
しかしながら、このような従来の固定ガイドは、シューとベースプレートがチェーン軌道を適切に保つためにガイド長手方向に沿って所定の曲率を保持しているが、伝動チェーンから過度の押圧荷重が常時負荷されるため、鋼板からなるベースプレートであっても長期使用するとベースプレートのガイド長手方向の屈曲変形やエンジン取付用ボルトのボルト取り付け位置で折損を生じる虞れがあり、また、このようなベースプレートの屈曲変形や折損を防止するためにベースプレートの高強度化を図ろうとすると複雑なベース形態を造形したり、高強度材を採用したりするなどの厄介な問題があり、ベースプレートの板厚を増して強度アップを図ろうとすると、エンジン内における設置スペース上の制約を受けて実現できないという問題があった。
【０００５】
本発明は、前述したような従来技術の問題を解決するものであって、すなわち、本発明の目的は、ベースプレートの板厚を増加させることなくガイド長手方向に沿った所定曲率の摺接曲面による安定したチェーン軌道を保持するとともに、伝動チェーンから過度の押圧荷重を受けてもベースプレートのガイド長手方向の屈曲変形やエンジン取付用ボルトの取り付け位置に生じがちな折損を防止して優れた耐久性を発揮するエンジン用固定ガイドを提供することである。
【課題を解決するための手段】
【０００６】
本請求項１に係る発明は、伝動チェーンをガイド長手方向に沿って摺接走行させる摺接曲面を形成したシューと、該シューの裏面をガイド長手方向に沿って支持する金属製のベースプレートとを備えたエンジン用固定ガイドにおいて、前記ベースプレートのプレート表面またはプレート裏面に面押し加工具による圧縮応力を作用させて塑性変形させる面押し加工により形成されているとともに前記ベースプレートに設けたエンジン取付用ボルトの取り付け位置を超えてガイド長手方向のそれぞれのベース端部位に向けて延在していることによって、前述した課題を解決するものである。
【０００７】
本請求項２に係る発明は、請求項１に記載されたエンジン用固定ガイドの構成に加えて、前記補強用細溝部が、前記ベースプレートのプレート裏面においてガイド長手方向の中央部位からガイド長手方向のベース端部位に向けて徐々に深く形成されていることによって、前述した課題をさらに解決するものである。
【０００８】
本請求項３に係る発明は、請求項１に記載されたエンジン用固定ガイドの構成に加えて、前記補強用細溝部が、前記ベースプレートのプレート裏面においてガイド長手方向のベース端部位からガイド長手方向の中央部位に向けて徐々に深く形成されていることによって、前述した課題をさらに解決するものである。
【０００９】
本請求項４に係る発明は、請求項１乃至請求項３のいずれか１つに記載されたエンジン用固定ガイドの構成に加えて、前記補強用細溝部の溝端が、舳先状に形成されていることによって、前述した課題をさらに解決するものである。
【００１０】
本請求項５に係る発明は、請求項１乃至請求項４のいずれか１つに記載されたエンジン用固定ガイドの構成に加えて、前記補強用細溝部が、前記伝動チェーンを構成するリンクプレートの摺動走行位置に合致したベースプレートの対向位置に設けられていることによって、前述した課題をさらに解決するものである。
【００１１】
本請求項６に係る発明は、請求項１乃至請求項５のいずれか１つに記載されたエンジン用固定ガイドの構成に加えて、前記補強用細溝部が、前記ベースプレートの内部に向けて矩形状に凹んだ断面形状を有していることによって、前述した課題をさらに解決するものである。
【００１２】
本請求項７に係る発明は、請求項１乃至請求項６のいずれか１つに記載されたエンジン用固定ガイドの構成に加えて、前記補強用細溝部が、前記ベースプレートのガイド長手方向に沿って並列状態で複数配置されていることによって、前述した課題をさらに解決するものである。
【発明の効果】
【００１３】
本発明のエンジン用固定ガイドは、伝動チェーンをガイド長手方向に沿って摺接走行させる摺接曲面を形成したシューと、このシューの裏面をガイド長手方向に沿って支持する金属製のベースプレートとを備えていることにより、伝動チェーンを摺接させてチェーン軌道に沿って案内走行させることができるとともに、以下のような格別の効果を奏することができる。
【００１４】
すなわち、本請求項１に係る発明のエンジン用固定ガイドは、ベースプレートのガイド長手方向に沿った補強用細溝部がベースプレートのプレート表面またはプレート裏面に面押し加工具による圧縮応力を作用させて塑性変形させる面押し加工により形成されていることによって、補強用細溝部がベースプレート形態を安定させてプレート強度を大幅に向上させるため、ベースプレートの板厚を増加させることなくガイド長手方向に沿った伝動チェーンの安定した軌道形態を長期にわたって確保することができるとともに、伝動チェーンから過度の押圧荷重を受けてもベースプレートの変形を防止して優れた耐久性を発揮することができる。
【００１５】
特に、補強用細溝部がシューに対するベースプレートのプレート裏面に設けられている場合、走行する伝動チェーンから過度の押圧荷重を受けてプレート裏面のガイド長手方向に圧縮応力が作用してもベースプレートの屈曲変形を抑制するため、ベースプレートのガイド長手方向の屈曲変形やエンジン取付用ボルトの取り付け位置に生じがちな折損をさらに防止することができる。
【００１６】
また、補強用細溝部がシューに対するベースプレートのプレート表面に設けられている場合、エンジン内の高温環境下でエンジン用固定ガイドを使用しても補強用細溝部がエンジン用固定ガイドに付着した潤滑油のガイド長手方向に沿った内部油通路として機能するため、内部油通路がシュー裏面とベースプレートのプレート表面との間に蓄熱されがちな伝動チェーンとシューとの摩擦熱をガイド外へ放熱することができる。
【００１７】
そして、補強用細溝部がベースプレートに設けたエンジン取付用ボルトの取り付け位置を超えてガイド長手方向のそれぞれのベース端部位に向けて延在していることにより、エンジン取付用ボルトに支持されるベースプレートのガイド長手方向の全域に亘って塑性変形により加工硬化した加工硬化領域が形成されるため、ベースプレートがエンジン取付用ボルトから支持反力を受けてもベースプレートのガイド長手方向の屈曲変形やエンジン取付用ボルトの取り付け位置に生じがちな折損を確実に防止することができる。
【００１８】
また、本請求項２に係る発明のエンジン用固定ガイドは、請求項１に係るエンジン用固定ガイドが奏する効果に加えて、補強用細溝部がベースプレートのプレート裏面においてガイド長手方向の中央部位からガイド長手方向のベース端部位に向けて徐々に深く形成されていることにより、伝動チェーンがフリースパン領域で振動する際に、補強用細溝部の溝底がガイド長手方向の全域に亘って均一に形成されている場合と比較して、プレート裏面のベース端部位に強固に加工硬化された加工硬化領域が伝動チェーンに接近して形成されるため、伝動チェーンの振動による過度の衝突荷重を受けて伝動チェーンにバタつきが生じてもベースプレートの屈曲変形やエンジン取付用ボルトの取り付け位置に生じがちな折損を回避することができる。
【００１９】
また、本請求項３に係る発明のエンジン用固定ガイドは、請求項１に記載のエンジン用固定ガイドが奏する効果に加えて、補強用細溝部がベースプレートのプレート裏面においてガイド長手方向のベース端部位からガイド長手方向の中央部位に向けて徐々に深く形成されていることにより、補強用細溝部の底面がガイド長手方向の全域に亘って均一に形成されている場合と比較して、ガイド長手方向の中央部位に強固に加工硬化された加工硬化領域が伝動チェーンに接近して形成されるため、伝動チェーンの張力による過度の押圧荷重を受けてもベースプレートの屈曲変形やエンジン取付用ボルトの取り付け位置に生じがちな折損を回避することができる。
【００２０】
また、本請求項４に係る発明のエンジン用固定ガイドは、請求項１乃至請求項３のいずれか１項に記載のエンジン用固定ガイドが奏する効果に加えて、補強用細溝部の溝端が舳先状に形成されていることにより、舳先状の溝端が応力集中を回避するため、補強用細溝部の溝端を起点とするベースプレートの破損を防止することができる。
【００２１】
また、本請求項５に係る発明のエンジン用固定ガイドは、請求項１乃至請求項４のいずれか１項に記載のエンジン用固定ガイドが奏する効果に加えて、補強用細溝部が伝動チェーンを構成するリンクプレートの摺動走行位置に合致したベースプレートの対向位置に設けられていることにより、伝動チェーンのリンクプレートの摺動走行に起因する摩擦熱を確実に放熱するため、走行する伝動チェーンのリンクプレートから過度の押圧荷重を受けてガイド長手方向に圧縮応力が作用してもベースプレートの摺動走行位置における変形を抑制することができる。
【００２２】
また、本請求項６に係る発明のエンジン用固定ガイドは、請求項１乃至請求項５のいずれか１項に記載のエンジン用固定ガイドが奏する効果に加えて、補強用細溝部がベースプレートの内部に向けて矩形状に凹んだ断面形状を有していることにより、面押し加工の際に板厚の微妙な誤差による溝幅の狭小化を回避してエンジン用固定ガイドに付着した潤滑油のガイド長手方向に沿った内部油通路が確実に形成されるため、内部油通路に沿って潤滑油が蓄熱されがちな伝動チェーンとシューとの摩擦熱をガイド外へ放熱し易くすることが可能であり、また、面押し加工時における面押し加工工具の加工面の早期磨損を回避することもできる。
【００２３】
そして、本請求項７に係る発明のエンジン用固定ガイドは、請求項１乃至請求項６のいずれか１項に記載のエンジン用固定ガイドが奏する効果に加えて、補強用細溝部がベースプレートのガイド長手方向に沿って並列状態で複数配置されていることにより、ベースプレート上の塑性変形をガイド幅方向で分散させているため、ベースプレートにねじれを生じることなくベースプレート形態がより安定してプレート強度を大幅に向上させることができる。
【図面の簡単な説明】
【００２４】
【図１】本発明の第１実施例であるエンジン用固定ガイドの使用態様図。
【図２】図１に示すエンジン用固定ガイドの概要図と一部拡大図。
【図３】図２のＩ−Ｉ線で示す断面図と一部拡大断面図。
【図４】図２のＩＩ−ＩＩ線で示す断面図と一部拡大図。
【図５】図２のＩＩＩ−ＩＩＩ線で示す断面図と一部拡大図。
【図６】本発明の第２実施例であるエンジン用固定ガイドの概要図と一部拡大図。
【図７】図６のＩＶ−ＩＶ線で示す断面図と一部拡大図。
【図８】図６のＶ−Ｖ線で示す断面図と一部拡大図。
【図９】図６のＶＩ−ＶＩ線で示す断面図と一部拡大図。
【図１０】本発明の第３実施例であるエンジン用固定ガイドの概要図と一部拡大図。
【図１１】図１０のＶＩＩ−ＶＩＩ線で示す断面図と一部拡大図。
【図１２】本発明の第４実施例であるエンジン用固定ガイドの断面図と一部拡大図。
【図１３】本発明の第５実施例であるエンジン用固定ガイドの断面図と一部拡大図。
【図１４】図１３のＶＩＩＩ−ＶＩＩＩ線で示す断面図と一部拡大図。
【発明を実施するための最良の形態】
【００２５】
本発明のエンジン用固定ガイドは、伝動チェーンをガイド長手方向に沿って摺接走行させる摺接曲面を形成したシューとこのシューの裏面をガイド長手方向に沿って支持する金属製のベースプレートとを備えたエンジン用固定ガイドにおいて、ベースプレートのガイド長手方向に沿った補強用細溝部がベースプレートのプレート表面またはプレート裏面に面押し加工具による圧縮応力を作用させて塑性変形させる面押し加工により形成されているとともにベースプレートに設けたエンジン取付用ボルトの取り付け位置を超えてガイド長手方向のそれぞれのベース端部位に向けて延在していることにより、ベースプレートの板厚を増加させることなくガイド長手方向に沿った所定曲率の摺接曲面による安定したチェーン軌道を保持するとともに、伝動チェーンから過度の押圧荷重を受けてもベースプレートのガイド長手方向の屈曲変形やエンジン取付用ボルトの取り付け位置に生じがちな折損を防止して優れた耐久性を発揮するものであれば、その具体的な実施態様は如何なるものであっても何ら構わない。
【００２６】
すなわち、本発明のエンジン用固定ガイドの具体的な使用態様については、自動車エンジン用タイミングシステムにおいて伝動チェーンに摺接させて所定のチェーン軌道に沿って走行案内するものに好適に用いられる。
【００２７】
そして、本発明で用いるベースプレートの具体的な材料については、伝動チェーンの張力変動やエンジン内部の高温環境下などで耐久性を発揮するために、例えば、鉄鋼材、アルミニウム材などの金属材料を用い、アルミニウム材を用いた場合には軽量化を図ることができるのでより好ましい。
【００２８】
また、本発明で用いるベースプレートのプレート曲面に形成された所定曲率については、ガイド長手方向に沿って少なくとも１以上の曲率を備えたものであれば良く、例えば、ガイド長手方向のチェーン進入側とチェーン進出側に小さな円弧を形成する曲率を備えるとともにこれらのチェーン進入側とチェーン進出側との中央部位に大きな円弧を形成する曲率を備えたものであっても良く、ガイド長手方向のチェーン進入側とチェーン進出側に小さな円弧を形成する曲率を備えるとともにこれらのチェーン進入側とチェーン進出側との中央部位に直線状摺接面を形成したものであっても良い。
【００２９】
また、本発明で採用するベースプレートの「面押し加工」は、プレス加工に属するものであって、その面押しメカニズムについては現時点においても明確に解明されていないが、面押し加工による圧縮応力をベースプレートの加工面に作用させて塑性変形させることによって、ベースプレート形態が安定してプレート強度の大幅な向上が見込まれる加工のことである。
【００３０】
さらに、前述した面押し加工によって得られる補強用細溝部は、ベースプレートをエンジンに固定するエンジン取付用ボルトの取り付け位置を超えてガイド長手方向のそれぞれのベース端部位に向けて延在していれば良く、補強用細溝部がベースプレートのガイド長手方向のそれぞれのベース端部位に亘って形成されていても、補強用細溝部の溝端がエンジン取付用ボルトの取り付け位置からベースプレートのガイド長手方向のそれぞれのベース端部位までの間で留まっていても構わない。
【００３１】
また、前述した補強用細溝部の具体的断面形状については、例えば、矩形状、半円弧状、逆三角状などに凹んだ断面形状であれば良いが、矩形状や半円弧状に凹んだ断面形状の場合は、面押し加工工具の加工面の早期磨損を回避できるという生産技術上の利点もある。また、補強用細溝部の形成本数については、１本、若しくは、複数本のいずれであっても良い。
【００３２】
また、前述した補強用細溝部の具体的な溝深さ寸法については、ベースプレートの長手方向に沿って漸次変化させても良く、例えば、ベースプレートのガイド長手方向のベース端部位で最も深くても、ベースプレートのガイド長手方向の中央部位で最も深くても構わない。
このように補強用細溝部の溝深さ寸法を変えることによって、ベースプレートのプレート強度やプレート剛性をガイド長手方向に沿って部分的に変化させることができる。
【００３３】
そして、前述した補強用細溝部の具体的な溝幅寸法については、ベースプレートの長手方向に沿って漸次変化させても良く、例えば、ベースプレートのガイド長手方向のベース端部位で最も広くても、ベースプレートのガイド長手方向の中央部位で最も広くても構わない。
このように補強用細溝部の溝幅寸法を変えることによって、ベースプレートのプレート強度やプレート剛性をガイド長手方向に沿って部分的に変化させることができる。
【実施例１】
【００３４】
以下に、本発明の第１実施例であるエンジン用固定ガイドについて、図面を基づいて説明する。 
ここで、図１は、本発明の第１実施例であるエンジン用固定ガイドの使用態様図であり、図２は、図１に示すエンジン用固定ガイドの概要図と一部拡大図であり、図３は、図２のＩ−Ｉ線で示す断面図と一部拡大断面図であり、図４は、図２のＩＩ−ＩＩ線で示す断面図と一部拡大図であり、図５は、図２のＩＩＩ−ＩＩＩ線で示す断面図と一部拡大図である。
【００３５】
まず、本発明の第１実施例であるエンジン用固定ガイド１００は、図１に示すように、自動車エンジン用タイミングシステムにおいて、エンジン内の駆動側スプロケットＳ１と、エンジン内の従動側スプロケットＳ２、Ｓ２と、駆動側スプロケットＳ１と従動側スプロケットＳ２、Ｓ２との間を周回走行するタイミングチェーンＣからなる伝動チェーンと、タイミングチェーンＣに対してテンショナＴと協働しながら揺動自在に摺接して適正なチェーン張力に調整するテンショナレバーＡと称する可動ガイドと共に用いられて、タイミングチェーンＣに摺接させて所定のチェーン軌道に沿って走行案内するものである。
なお、図１における矢印は、タイミングチェーンＣの走行方向を示している。 
【００３６】
また、エンジン用固定ガイド１００は、図２に示すように、タイミングチェーンＣをガイド長手方向に沿って摺接走行させる摺接曲面を形成してナイロン樹脂からなるシュー１１０と、このシュー１１０の裏面をガイド長手方向に沿って支持する鋼製のベースプレート１２０とを備えている。
なお、符号１２１は、エンジンにベースプレート１２０を固定するエンジン取付用ボルト（図示せず）を挿通する孔を備えて、図２中紙面右側のベースプレート１２０のチェーン進入側と図２中紙面左側のベースプレートのチェーン進出側とにそれぞれ設けられる取付座である。
また、本実施例では、ベースプレート１２０の素材として鋼材を採用したが、アルミ材を用いても何ら構わない。
【００３７】
これにより、エンジン用固定ガイド１００が、タイミングチェーンＣを摺接させてチェーン軌道に沿って案内走行させることができる。
【００３８】
そして、前述したベースプレート１２０のガイド長手方向に沿った補強用細溝部１２２は、ベースプレート１２０のプレート裏面に面押し加工具による圧縮応力を作用させて塑性変形させる面押し加工により形成されている。
【００３９】
これにより、補強用細溝部１２２が、ベースプレート形態を安定させてプレート強度を大幅に向上させて、また、走行するタイミングチェーンＣから過度の押圧荷重を受けてプレート裏面のガイド長手方向に圧縮応力が作用する場合であってもベースプレート１２０の屈曲変形を抑制している。
【００４０】
そして、補強用細溝部１２２は、図２に示すように、エンジン取付用ボルトの取り付け位置を超えてガイド長手方向のそれぞれのベース端部位、すなわち、図２紙面上の左右端それぞれに向けて延在している。
【００４１】
これにより、ガイド長手方向の全域に亘ってエンジン取付用ボルトに支持されるベースプレート１２０のガイド長手方向の全域に亘って塑性変形により加工硬化した加工硬化領域が形成されている。
【００４２】
また、補強用細溝部１２２は、ベースプレート１２０の裏面において、ガイド長手方向の中央部位からガイド長手方向のベース端部位に向けて徐々に深く形成されている、すなわち、補強用細溝部１２２の溝深さ寸法は、図３および図５に示すように、ベースプレート１２０のガイド長手方向それぞれのベース端部位における溝深さ寸法Ｄｅが最も深くなっており、図４に示すように、ベースプレート１２０のガイド長手方向の中央部位に向けて漸次浅くなりガイド長手方向の中央部位における溝深さ寸法Ｄｃが最も浅くなっている。
【００４３】
これにより、駆動側スプロケットＳ１およびエンジン用固定ガイド１００と従動側スプロケットＳ２およびエンジン用固定ガイド１００との間で形成されるフリースパン領域でタイミングチェーンＣが振動する際に、補強用細溝部の溝底がガイド長手方向の全域に亘って均一に形成されている場合と比較して、プレート裏面のベース端部位に強固に加工硬化された加工硬化領域がタイミングチェーンＣに接近して形成されている。
【００４４】
このようにして得られた本実施例のエンジン用固定ガイド１００は、ベースプレート１２０のガイド長手方向に沿った補強用細溝部１２２がベースプレート１２０のプレート裏面に面押し加工具による圧縮応力を作用させて塑性変形させる面押し加工により形成されているとともにベースプレート１２０に設けたエンジン取付用ボルトの取り付け位置を超えてガイド長手方向のそれぞれのベース端部位に向けて延在していることにより、ベースプレート１２０の板厚を増加させることなくガイド長手方向に沿ったタイミングチェーンＣの安定した軌道形態を長期にわたって確保することができるとともに、タイミングチェーンＣから過度の押圧荷重を受けてもベースプレート１２０の変形を防止して優れた耐久性を発揮することができ、また、ベースプレート１２０のガイド長手方向の屈曲変形やエンジン取付用ボルトの取り付け位置に生じがちな折損を防止することができる。
【００４５】
そして、補強用細溝部１２２がベースプレート１２０のプレート裏面においてガイド長手方向のベース端部位よりガイド長手方向の中央部位で深く形成されていることにより、タイミングチェーンＣのバタつきによる過度の衝突荷重を受けてもベースプレート１２０の屈曲変形やエンジン取付用ボルトの取り付け位置に生じがちな折損を回避することができる等、その効果は甚大である。
【実施例２】
【００４６】
次に、本発明の第２実施例であるエンジン用固定ガイドについて、図面に基づいて説明する。
ここで、図６は、本発明の第２実施例であるエンジン用固定ガイドの概要図と一部拡大図であり、図７は、図６のＩＶ−ＩＶ線で示す断面図と一部拡大図であり、図８は、図６のＶ−Ｖ線で示す断面図と一部拡大図であり、図９は、図６のＶＩ−ＶＩ線で示す断面図と一部拡大図である。
本発明の第２実施例であるエンジン用固定ガイド２００は、前述した第１実施例のエンジン用固定ガイド１００と比較すると、補強用細溝部の構成のみが異なっており、その余の部品構成については基本的に何ら変わるところがないため、前述したエンジン用固定ガイド１００と同一の部材について対応する２００番台の符号を付すことにより、その重複する説明を省略する。
【００４７】
本実施例のエンジン用固定ガイド２００に係るベースプレート２２０のガイド長手方向に沿った補強用細溝部２００は、ベースプレート２２０の裏面においてガイド長手方向のベース端部位からガイド長手方向の中央部位に向けて徐々に深く形成されている、すなわち、補強用細溝部２２２の溝深さ寸法は、図７および図９に示すように、ベースプレート２２０のガイド長手方向それぞれのベース端部位における溝深さ寸法Ｄｅが最も浅くなっており、図８に示すように、ベースプレート２２０のガイド長手方向の中央部位に向けて漸次深くなりガイド長手方向の中央部位における溝深さ寸法Ｄｃが最も深くなっている。
【００４８】
したがって、このようにして得られた本実施例のエンジン用固定ガイド２００は、前述した第１実施例のエンジン用固定ガイド１００と同様の効果を奏するばかりでなく、補強用細溝部の底面がガイド長手方向の全域に亘って均一に形成されている場合と比較して、ガイド長手方向の中央部位に強固に加工硬化された加工硬化領域がタイミングチェーンＣに接近して形成されるため、タイミングチェーンＣの張力によってシュー２１０の摺接曲面からベースプレート２２０に向けて作用する過度の押圧荷重を受けてもベースプレート２２０の屈曲変形やエンジン取付用ボルトの取り付け位置に生じがちな折損を回避することができる等、その効果は甚大である。
【実施例３】
【００４９】
次に、本発明の第３実施例であるエンジン用固定ガイドについて、図面に基づいて説明する。
ここで、図１０は、本発明の第３実施例であるエンジン用固定ガイドの概要図と一部拡大図であり、図１１は、図１０のＶＩＩ−ＶＩＩ線で示す断面図と一部拡大図である。
本発明の第３実施例であるエンジン用固定ガイド３００は、前述した第１実施例のエンジン用固定ガイド１００と比較すると、補強用細溝部の構成のみが異なっており、その余の部品構成については基本的に何ら変わるところがないため、前述したエンジン用固定ガイド１００と同一の部材について対応する３００番台の符号を付すことにより、その重複する説明を省略する。
【００５０】
本実施例のエンジン用固定ガイド３００に係るベースプレート３２０のガイド長手方向に沿った補強用細溝部３２２の溝端３２３は、図１０および図１１に示すように、舳先状に形成されている。
【００５１】
したがって、このようにして得られた本実施例のエンジン用固定ガイド３００は、前述した第１実施例のエンジン用固定ガイド１００と同様の効果を奏するばかりでなく、舳先状の溝端３２３が応力集中を回避するため、補強用細溝部３２２の溝端３２３を起点とするベースプレート３２０の破損を防止できる等、その効果は甚大である。
【実施例４】
【００５２】
次に、本発明の第４実施例であるエンジン用固定ガイドについて、図面に基づいて説明する。
ここで、図１２は、本発明の第４実施例であるエンジン用固定ガイドの断面図と一部拡大図である。
本発明の第４実施例であるエンジン用固定ガイド４００は、前述した第１実施例のエンジン用固定ガイド１００と比較すると、補強用細溝部の構成のみが異なっており、その余の部品構成については基本的に何ら変わるところがないため、前述したエンジン用固定ガイド１００と同一の部材について対応する４００番台の符号を付すことにより、その重複する説明を省略する。
【００５３】
本実施例のエンジン用固定ガイド４００に係るベースプレート４２０のガイド長手方向に沿った補強用細溝部４２２は、図１２に示すように、タイミングチェーンＣを構成するリンクプレートＬの摺動走行位置に合致したベースプレート４２０の裏面の対向位置に設けられている。
【００５４】
また、前述の補強用細溝部４２２は、ベースプレート４２０のガイド長手方向に沿って並列状態で図１２紙面上左右にそれぞれ３列ずつ配置されている。
【００５５】
したがって、このようにして得られた本実施例のエンジン用固定ガイド４００は、前述した第１実施例のエンジン用固定ガイド１００と同様の効果を奏するばかりでなく、タイミングチェーンＣのリンクプレートＬの摺動走行に起因する摩擦熱を確実に放熱して、かつ、ベースプレート４２０の塑性変形をガイド幅方向で分散させているため、走行するタイミングチェーンＣのリンクプレートＬから過度の押圧荷重を受けてガイド長手方向に圧縮応力が作用してもベースプレート４２０の摺動走行位置における変形を抑制することができ、また、ベースプレート４２０がねじれることなくベースプレート形態がより安定してプレート強度を大幅に向上させることができる等、その効果は甚大である。
【実施例５】
【００５６】
次に、本発明の第５実施例であるエンジン用固定ガイドについて、図面に基づいて説明する。
ここで、図１３は、本発明の第５実施例であるエンジン用固定ガイドの断面図と一部拡大図であり、図１４は、図１３のＶＩＩＩ−ＶＩＩＩ線で示す断面図と一部拡大図である。
本発明の第７実施例であるエンジン用固定ガイドは、前述した第１実施例のエンジン用固定ガイド１００と比較すると、補強用細溝部の構成のみが異なっており、その余の部品構成については基本的に何ら変わるところがないため、前述したエンジン用固定ガイド１００と同一の部材について対応する５００番台の符号を付すことにより、その重複する説明を省略する。
【００５７】
本実施例のエンジン用固定ガイド５００に係るベースプレート５２０のガイド長手方向に沿った補強用細溝部５２２は、図１２および図１３に示すように、シュー５１０に対するベースプレート５２０のプレート表面に設けられている。
【００５８】
また、補強用細溝部５２２は、ベースプレート５２０の内部に向けて矩形状に凹んだ断面形状を有している。
【００５９】
したがって、このようにして得られた本実施例のエンジン用固定ガイド５００は、前述した第１実施例のエンジン用固定ガイド１００と同様の効果を奏するばかりでなく、補強用細溝部５２２がエンジン用固定ガイド５００に付着した潤滑油のガイド長手方向に沿った内部油通路として機能するとともに面押し加工の際に板厚の微妙な誤差による溝幅の狭小化を回避してエンジン用固定ガイド５００に付着した潤滑油のガイド長手方向に沿った内部油通路が確実に形成されるため、エンジン内の高温環境下で使用しても内部油通路がシュー裏面とベースプレート５２０のプレート表面との間に蓄熱されがちなタイミングチェーンＣとシュー５１０との摩擦熱をガイド外へ放熱することができ、また、面押し加工時における面押し加工工具の加工面の早期磨損を回避することができる等、その効果は甚大である。
【符号の説明】
【００６０】
１００、２００、３００、４００、５００・・・エンジン用固定ガイド
１１０、２１０、３１０、４１０、５１０・・・シュー 
１２０、２２０、３２０、４２０、５２０・・・ベースプレート 
１２１、２２１、３２１、５２１・・・取付座 
１２２、２２２、３２２、４２２、５２２・・・補強用細溝部 
３２３・・・溝端
Ｃ  ・・・タイミングチェーン 
Ｌ  ・・・リンクプレート
【図１】
2012241739.tif 000003
【図２】
2012241739.tif 000004
【図３】
2012241739.tif 000005
【図４】
2012241739.tif 000006
【図５】
2012241739.tif 000007
【図６】
2012241739.tif 000008
【図７】
2012241739.tif 000009
【図８】
2012241739.tif 000010
【図９】
2012241739.tif 000011
【図１０】
2012241739.tif 000012
【図１１】
2012241739.tif 000013
【図１２】
2012241739.tif 000014
【図１３】
2012241739.tif 000015
【図１４】
2012241739.tif 000016